(57)【要約】【課題】小さな電力で床面や踏面を充分に照らすことができ、子供等が上面に座ったりして損傷するのが抑えられる照明装置設置構造を提供する。【解決手段】階段の踏面１と、階段に面する壁面２と、照明装置３と、からなる設置構造である。照明装置３は、壁面２に取り付けられる取付ベース４と、取付ベース４に取り付けられる導光部材５０と光源６０とカバー部材７と、を備える。導光部材５０は、長手方向の端面が光源からの光の入射面５３となるとともに長手方向に沿う一面が入射面５３より入射した光の出射面５４となる。導光部材５０は、長手方向が階段の傾斜に略平行となって壁面２に沿い、踏面１からの高さが３０ｃｍ以上６０ｃｍ以下で、出射面５４が下方を向くように配置される。カバー部材７は、導光部材５０と光源６０とを、その少なくとも上側および壁面２と反対の側を覆うものであり、上面が壁面２から離れる程下方に位置するように傾斜する。【選択図】図１
2014170681.tif 000002
【特許請求の範囲】
【請求項１】
床面、または、階段の踏面と、
前記床面または前記階段に面する壁面と、
前記壁面に取り付けられる照明装置と、を備えた照明装置設置構造であって、
前記照明装置は、前記壁面に取り付けられる取付ベースと、前記取付ベースに取り付けられる導光部材と光源とカバー部材と、を備え、
前記導光部材は、長手方向を有し、前記長手方向の端面が前記光源からの光の入射面となるとともに前記長手方向に沿う一面が前記入射面より入射した光の出射面となり、
前記導光部材は、前記長手方向が前記床面に略平行または前記階段の傾斜に略平行となって前記壁面に沿い、前記床面または前記踏面からの高さが３０ｃｍ以上６０ｃｍ以下で、前記出射面が下方を向くように配置され、
前記カバー部材は、前記導光部材と前記光源とを、その少なくとも上側および前記壁面と反対の側を覆うものであり、上面が前記壁面から離れる程下方に位置するように傾斜することを特徴とする照明装置設置構造。
【請求項２】
前記取付ベースは、前記壁面に取り付けられるベース部と、前記光源が取り付けられる被取付部とを備え、
前記導光部材と前記光源の長手方向の端部を閉塞するエンドカバーが設けられることを特徴とする請求項１記載の照明装置設置構造。
【請求項３】
前記導光部材が導光部材収容ケースに収容されて導光部材ユニットが構成され、
前記光源が光源収容ケースに収容されて光源ユニットが構成されることを特徴とする請求項１又は２記載の照明装置設置構造。
【発明の詳細な説明】
【技術分野】
【０００１】
本発明は、床面や階段に面する壁面に設置される照明装置の設置構造である。
【背景技術】
【０００２】
従来より、部屋、廊下等の床面や階段の踏面を照らすため、これら床面や階段に面する壁面に設けられる手摺りの下部に設けられる照明装置が知られている（例えば特許文献１参照）。
【先行技術文献】
【特許文献】
【０００３】
【特許文献１】特開２０００−３４８１５号公報
【発明の概要】
【発明が解決しようとする課題】
【０００４】
しかしながら、手摺りは床面や踏面からの高さが７５ｃｍ以上の高い位置に設けられている。このため、手摺りの下部に設けられた照明装置で床面や踏面を充分に照らそうとする場合、過大な電力が必要となるものであった。
【０００５】
そこで、床面や踏面からの高さが手摺りよりも低い壁面に照明装置が設けられ、上記手摺りの下部に設けられる照明装置で消費されるよりも小さな電力で、床面や踏面を照らすものが考えられる。
【０００６】
しかしながらこの場合、壁面の低い位置に設けられた照明装置の上面に、子供等が座ったりして、照明装置が損傷する惧れがあった。
【０００７】
本発明は上記従来の問題点に鑑みて発明したものであって、その目的とするところは、小さな電力で床面や踏面を充分に照らすことができ、子供等が上面に座ったりして損傷してしまうのが抑えられる、照明装置設置構造を提供することを課題とするものである。
【課題を解決するための手段】
【０００８】
上記課題を解決するために、本発明は、以下のような構成とする。
【０００９】
床面、または、階段の踏面と、前記床面または前記階段に面する壁面と、前記壁面に取り付けられる照明装置と、を備えた照明装置設置構造であって、前記照明装置は、前記壁面に取り付けられる取付ベースと、前記取付ベースに取り付けられる導光部材と光源とカバー部材と、を備え、前記導光部材は、長手方向を有し、前記長手方向の端面が前記光源からの光の入射面となるとともに前記長手方向に沿う一面が前記入射面より入射した光の出射面となり、前記導光部材は、前記長手方向が前記床面に略平行または前記階段の傾斜に略平行となって前記壁面に沿い、前記床面または前記踏面からの高さが３０ｃｍ以上６０ｃｍ以下で、前記出射面が下方を向くように配置され、前記カバー部材は、前記導光部材と前記光源とを、その少なくとも上側および前記壁面と反対の側を覆うものであり、上面が前記壁面から離れる程下方に位置するように傾斜することを特徴とする。
【００１０】
前記取付ベースは、前記壁面に取り付けられるベース部と、前記光源が取り付けられる被取付部とを備え、前記導光部材と前記光源の長手方向の端部を閉塞するエンドカバーが設けられることが好ましい。
【００１１】
前記導光部材が導光部材収容ケースに収容されて導光部材ユニットが構成され、前記光源が光源収容ケースに収容されて光源ユニットが構成されることが好ましい。
【発明の効果】
【００１２】
本発明にあっては、小さな電力で床面や踏面を充分に照らすことができ、子供等が上面に座ったりして損傷するのが抑えられるものである。
【図面の簡単な説明】
【００１３】
【図１】本発明の一実施形態の照明装置の設置構造の要部を示し、（ａ）は側断面図であり、（ｂ）は斜視図である。
【図２】同上の照明装置が設置された階段を示し、（ａ）は側面図であり、（ｂ）は斜視図である。
【図３】同上の照明装置の要部の分解斜視図である。
【図４】同上の照明装置における取付ベースと光源ユニットを示し、（ａ）は分解斜視図であり、（ｂ）は組み立てた状態の斜視図である。
【図５】（ａ）〜（ｆ）は同上の照明装置における施工手順を示す説明図である。
【発明を実施するための形態】
【００１４】
以下、本発明を添付図面に示す実施形態に基いて説明する。
【００１５】
本発明は、図２に示すように、部屋や階段等の壁面２に取り付けられる照明装置３の設置構造である。壁面２は、部屋や廊下の床面や、階段を構成する複数の踏面１の端部に隣接して立設され、床面や踏面１に面するものである。本実施形態では、踏面１の端部に隣接して立設し、階段に面する壁面２として説明するが、部屋や廊下でない他の床に面する壁面でもよく、特に限定されない。
【００１６】
照明装置３は、図１、図３に示すように、取付ベース４と、導光部材５０と、光源６０と、カバー部材７と、を備えるものである。
【００１７】
取付ベース４は、図１、図３に示すように、壁面２に取り付けられるものである。そして、図２に示すように、取付ベース４に取り付けられる導光部材５０の長手方向が、階段の傾斜に略平行（階段でない床面の場合には床面に略平行）となって、且つ、壁面２に沿って配置されるように、壁面２に取り付けられる。本実施形態では、取付ベース４は、導光部材５０と同様に長手方向を有するものである。なお、以下の説明において、正面（前面）は、壁面２に向かっての正面をいうものとし（図２（ａ）の正面図参照）、左右は正面に向っての左右をいうものとする。
【００１８】
取付ベース４は、図１、図３に示すように、ベース部４１と、被取付部４２とで構成される。ベース部４１は、正面視において左右に長尺の矩形状の板部材からなる。ベース部４１の材質は、アルミニウムやＳＵＳや鉄系の金属、木材、合成樹脂等、特に限定されないが、本実施形態では金属製である。ベース部４１には、長手方向に複数の固着具挿通孔（不図示）が形成されている。この固着具挿通孔に、壁面２に取り付けられるための固着具４３が挿通されるもので、後述する。
【００１９】
被取付部４２は、図３、図４に示すように、ベース部４１に設けられ、光源６０が取り付けられるものである。本実施形態では、ベース部４１の長手方向の両端部にそれぞれ、前方に突出するように設けられる、長手方向視矩形状をした縦板部材で構成される。被取付部４２は、ベース部４１と一体に形成されてもよいし、ベース部４１とは別体で形成された後、ベース部４１に固定されてもよい。本実施形態では、長尺の金属板からなるベース部４１の両端部がそれぞれ折曲されて、被取付部４２が設けられている。なお、本実施形態では、被取付部４２はベース部４１の長手方向の両端部にそれぞれ設けられているが、一方の端部にのみ設けられてもよい。
【００２０】
導光部材５０は、図３に示すように、長手方向を有する棒状をした、透光性を有する部材である。導光部材５０の長手方向の端面が、光源６０からの光の入射面５３となる。また、図１（ａ）に示すように、導光部材５０の長手方向に沿う一面が、入射面５３より入射した光の出射面５４となる。また、導光部材５０の長手方向に沿う一面で、出射面５３と対向する部分が、反射部５５となる。本実施形態では、導光部材５０の長手方向の両端面を入射面５３としているが、一方の端面のみを入射面５３としてもよい。
【００２１】
この導光部材５０においては、光源６０からの光が入射面５３より入射する。入射面５３より入射した光は、長手方向に沿う一面（但し、反射部５５を除く）で反射しながら、反対側の端面に向けて進行する。そして、反射部５５に達すると、拡散、乱反射が行われる。そして、小さな入射角で出射面５４に達すると、出射面５４より出射される。
【００２２】
なお、導光部材５０の長手方向に直交する断面における形状は、本実施形態のような形状に限定されないが、入射面５３より入射した光が、反射部５５に達しない限り、長手方向に沿う面で可及的に全反射するような形状が好ましいものである。
【００２３】
この導光部材５０は、図１に示すように、取付ベース４に取り付けられる。本実施形態では、導光部材５０は、導光部材ユニット５に備えられており、この導光部材ユニット５が、取付ベース４に取り付けられる。
【００２４】
導光部材ユニット５は、図１に示すように、導光部材５０と、導光部材収容ケース５１と、ベース部４１への取付部５２と、で構成される。導光部材収容ケース５１は、導光部材５０と同様の長尺の部材からなり、長手方向に沿う一面側に開口を有し、この開口より導光部材５０が挿入され、保持される。導光部材５０は、導光部材収容ケース５１の開口の奥側に、その反射部５５が位置し、開口の手前側に、出射面５４が位置するように、導光部材収容ケース５１に収容され、保持される。
【００２５】
取付部５２は、図１、図３に示すように、導光部材収容ケース５１と連結され、ベース部４１に取り付けられるものである。本実施形態では、取付部５２は、導光部材収容ケース５１と同様の長尺で断面Ｌ字状の部材からなり、導光部材収容ケース５１と一体に形成される。取付部５２の断面Ｌ字状の一方の辺部が導光部材収容ケース５１に連結され、他方の辺部が、ベース部４１に沿う状態で取り付けられる。
【００２６】
導光部材収容ケース５１および取付部５２の材質は、アルミニウムやＳＵＳや鉄系の金属、木材、合成樹脂等、特に限定されないが、本実施形態では合成樹脂製である。
【００２７】
光源６０は、本実施形態では基板にＬＥＤが実装されてなるものであるが、特にＬＥＤを備えたものに限定されない。本実施形態では、光源６０は、図３、図４に示すように、光源ユニット６に備えられている。
【００２８】
光源ユニット６は、光源６０と、光源収容ケース６１、６２と、伝熱部材６３と、で構成される。光源収容ケース６１は、本実施形態では、ベース部４１と概ね同様の外郭が長手方向視矩形状をした、縦板部材で構成される。光源収容ケース６１には、ボス孔であり内面に雌ねじが形成される固着孔６６が設けられている。
【００２９】
また、光源収容ケース６１の端部には、棒状をした被嵌部６４が二本、長手方向に平行となるように、間隔を開けて設けられている。
【００３０】
カバー部材７は、図１、図３に示すように、導光部材５０と光源６０とを、その少なくとも上側および壁面２と反対の側を覆うものである。本実施形態では、壁面２に接する部分であり、導光部材５０および光源６０の上側を覆う上覆い部７１を備える。そして、上覆い部７１の前端部から、前方程下方へ位置するように傾斜するように、上斜め覆い部７２が設けられる。更に、上斜め覆い部７２の前下端部から、下方へ向けて側覆い部７３が設けられる。
【００３１】
また、本実施形態においては、図１に示すように、透光部材３１とエンドカバー３２とを備えている。透光部材３１は、カバー部材７の下方を覆う、透光性を有する部材で形成されるものである。透光部材３１は、凹レンズや凸レンズ、フレネルレンズ等のレンズ（プリズムを含む）形状としてもよく、本実施形態では図１（ａ）に示すように、プリズム形状をしているが、レンズ形状でなくてもよい。
【００３２】
エンドカバー３２は、カバー部材７の長手方向の開口を閉塞するもので、カバー部材７に装着される。
【００３３】
以下、本実施形態の照明装置３の設置構造の施工手順について説明する。
【００３４】
図５（ａ）に示すように、取付ベース４の被取付部４２に、光源収容ケース６１が取り付けられる。これにあたり、被取付部４２と光源収容ケース６１との間に、光源６０と伝熱部材６３とが抜け止め状態となるように挿入される。そして、被取付部４２に形成された固着具挿通孔４４にビスからなる固着具６７が挿入され、光源収容ケース６１に設けられた固着孔６６に螺着される。これにより、光源６０と伝熱部材６３とが被取付部４２と光源収容ケース６１とに挟持された状態で固定される。伝熱部材６３により、光源６０で発生した熱の放熱が促進される。
【００３５】
次に、図５（ｂ）に示すように、導光部材収容ケース５１に導光部材５０が所定の向きで収容され、保持される。
【００３６】
次に、図５（ｃ）に示すように、被取付部４２に取り付けられた光源収容ケース６１の二本の被嵌部６４の間に、導光部材５０を収容した導光部材収容ケース５１が挿入される。そして、導光部材収容ケース５１に形成された固着具挿通孔（不図示）にビスからなる固着具（不図示）が挿入され、ベース部４１に設けられた固着孔（不図示）に螺着され、導光部材ユニット５が取付ベース４に固定されるとともに、。
【００３７】
次に、図５（ｄ）に示すように、ベース部４１に設けられた固着具挿通孔（不図示）にビスからなる固着具４３が挿入され、壁面２に螺着され、取付ベース４が壁面２に固定される。ここで、取付ベース４は、階段の傾斜に略平行となるように取り付けられる。そして、収容している導光部材５０が、踏面１の水平方向の中央部からの高さが３０ｃｍ以上６０ｃｍ以下となり、出射面５４が下方（あるいは下方を中心に３０°程度の範囲内の方向）を向くように取り付けられる。踏面１の代わりに床面の場合には、床面からの高さが３０ｃｍ以上６０ｃｍ以下となるように取り付けられる。
【００３８】
次に、図５（ｅ）に示すように、光源収容ケース６１の被嵌部６４間に、正面視矩形板状をした光源収容ケース６２が嵌入される。光源収容ケース６２に形成されている突起６５（図４参照）が、光源収容ケース６１の凸部（不図示）を乗り越え、抜け止め状態となる。
【００３９】
次に、図５（ｆ）に示すように、透光部材３１およびエンドカバー３２が装着され、カバー部材７が装着される。
【００４０】
本実施形態においては、導光部材５０の踏面１からの高さが３０ｃｍ以上６０ｃｍ以下であるため、小さな電力で床面や踏面１を充分に照らすことができるものである。
【００４１】
また、カバー部材７の上面が、壁面２から離れる程下方に位置するように傾斜している。このため、子供が、壁面２の低い位置に設けられた照明装置３のカバー部材７の上面に座り難い。これにより、子供が照明装置３のカバー部材７の上面に座ることによる、照明装置３や壁面２の損傷が抑えられるものである。
【符号の説明】
【００４２】
１    踏面
２    壁面
３    照明装置
３１  透光部材
３２  エンドカバー
４    取付ベース
４１  ベース部
４２  被取付部
４３  固着具
４４  固着具挿通孔
４５  凸部
５    導光部材ユニット
５０  導光部材
５１  導光部材収容ケース
５２  ベース部への取付部
５３  入射面
５４  出射面
５５  反射部
６    光源ユニット
６０  光源
６１  光源収容ケース
６２  光源収容ケース
６３  伝熱部材
６４  被嵌部
６５  突起
６６  固着孔
６７  固着具
７    カバー部材
７１  上覆い部
７２  上斜め覆い部
７３  側覆い部
【図１】
2014170681.tif 000003
【図２】
2014170681.tif 000004
【図３】
2014170681.tif 000005
【図４】
2014170681.tif 000006
【図５】
2014170681.tif 000007